【事件の表示】
　特願２０１６−３９４４３「モータ付ギアボックス」拒絶査定不服審判事件〔平成２９年９月７日出願公開、特開２０１７−１５８３０３〕について、次のとおり審決する。
【結　論】
　本件審判の請求は、成り立たない。
【理　由】
第１　手続の経緯
　本願は、平成２８年３月１日の出願であって、その手続の経緯は以下のとおりである。
　平成２８年　３月　２日　　：手続補正書の提出
　平成３０年　２月１５日付け：拒絶理由通知書
　平成３０年　４月　４日　　：意見書、手続補正書の提出
　平成３０年　７月　５日付け：拒絶査定
　平成３０年１０月１２日　　：審判請求書、手続補正書の提出
　平成３０年１１月２１日作成：前置報告書
　平成３１年　２月　４日　　：上申書の提出
第２　平成３０年１０月１２日にされた手続補正についての補正の却下の決定
［補正の却下の決定の結論］
　平成３０年１０月１２日にされた手続補正（以下「本件補正」という。）を却下する。
　
［理由］
１　本件補正について（補正の内容）
（１）本件補正後の特許請求の範囲の記載
　本件補正により、特許請求の範囲の請求項１の記載は、次のとおり補正された。（下線部は、補正箇所である。）
　「　【請求項１】
　
回転軸を有する
　前記モータの回転を伝達する複数のギアと、前記モータ及び前記複数のギアを収容する筐体と、を含み、
　
前記複数のギアは、前記回転軸に取り付けられたウォームギアと、前記ウォームギアに接続される第１ギアと、出力ギアと、当該第１ギアと当該出力ギアに接続される第２ギアと、を備え、
　
前記第２ギアは、前記第１ギアと前記出力ギアの間に配置され、
　
前記モータの径方向において、前記出力ギアは前記モータに対向しており、
前記筐体は、
　
振動可能な
　
振動可能な
前記第１面部と前記第２面部が、前記
ウォームギア側の
の端部
おり、
　
前記連結部は、前記筐体内において前記モータ及び前記複数のギアに干渉しない空間に設けられて
　
（２）本件補正前の特許請求の範囲
　本件補正前の、平成３０年４月４日にされた手続補正により補正された特許請求の範囲の請求項１の記載は次のとおりである。
　「　　【請求項１】
　モータと、前記モータの回転を伝達する複数のギアと、前記モータ及び前記複数のギアを収容する筐体と、を含み、
　前記筐体は、
　第１面部と前記第１面部を囲む第１外壁部とを有する第１筐体と、
　第２面部と前記第２面部を囲む第２外壁部とを有する第２筐体と、を備え、
　前記第１面部と前記第２面部が、前記モータ及び前記複数のギアに囲われた領域内に設けられた１つの連結部で連結されている、モータ付ギアボックス。」
２　補正の適否
　本件補正により、本件補正前の請求項９−１２は削除され、本件補正前後で請求項２−８の記載は同じであるから、本件補正後の請求項１は、本件補正前の請求項１に対応し、本件補正は、本件補正前の請求項１に記載された発明を特定するために必要な事項である「モータ」、「複数のギア」、「第１面部」、「第２面部」及び「連結部」について、上記のとおり限定を付加するものであって、補正前の請求項１に記載された発明と補正後の請求項１に記載される発明の産業上の利用分野及び解決しようとする課題が同一であるから、特許法第１７条の２第５項第２号の特許請求の範囲の減縮を目的とするものに該当する。
　そこで、本件補正後の請求項１に記載される発明（以下「本件補正発明」という。）が同条第６項において準用する同法第１２６条第７項の規定に適合するか（特許出願の際独立して特許を受けることができるものであるか）について、以下、検討する。
（１）本件補正発明
　本件補正発明は、上記１（１）に記載したとおりのものである。
　
（２）引用文献の記載事項
ア　引用文献１
（ア）原査定の拒絶の理由で引用された引用文献である、特開２００９−１０６１００号公報（以下「引用文献１」という。）には、図面とともに、次の記載がある。（なお、下線は当審において付加したものである。）
ａ　「【技術分野】
【０００１】
　本発明は、例えば車両用空調装置における送風経路切換ドアを作動させるためのモータアクチュエータに関するものである。
【背景技術】
【０００２】
　従来、この種のモータアクチュエータでは、第１及び第２ケースからなるケース本体の内部に、駆動源としてのモータと該モータに連結された減速機構とが支持固定されるとともに、ケース本体にはモータの駆動力を減速機構を介して出力する出力軸が回動可能に支持されている（例えば特許文献１参照）。このようなモータアクチュエータにおいて、第１及び第２ケースはその少なくとも一方が内部部品を収容可能なカップ状に形成され、その側壁部分において第１及び第２ケースは互いに連結固定されるようになっている。
【特許文献１】特開２００６−２５４５３４号公報
【発明の開示】
【発明が解決しようとする課題】
【０００３】
　しかしながら、
上記のようなモータアクチュエータでは、ケースの側壁部分のみで第１及び第２ケースが連結固定されているため、第１及び第２ケースの中央部が互いに接近する方向、若しくは離間する方向に容易に撓んでしまう。
その撓みによって第１ケースと第２ケースとの位置ズレが生じ、駆動時においてモータや出力軸等から発生する振動による騒音レベルが増大してしまう虞があった。特に、ケースは樹脂よりなるため、その成形時に発生する反りによってケース中央部が顕著に撓み易くなってしまう虞がある。
【０００４】
　本発明は、上記課題を解決するためになされたものであって、その目的は、第１ケースと第２ケースとの組み付け精度を向上させ、駆動時における騒音の発生を抑制することができるモータアクチュエータを提供することにある。」
ｂ　「【００１９】
　次に、各種の切換ドア７を駆動するモータアクチュエータ８について図２〜４に従って説明する。
モータアクチュエータ８における扁平箱状をなすケース本体は、平面視で略四角形のカップ状をなす第１ケースとしてのケース１０
と、同様にカップ状をなすとともにケース１０の開口を覆う第２ケースとしてのケースカバー１１とが組み付け方向
に組み付けられてなる。図３に示すように、ケース１０は板状の底部１０ａと、該底部１０ａの外周端部から直交方向
に延びる側壁１０ｂとから形成される
ケース１０の内部には駆動源としてのブラシレスモータ１２と減速機構１３とが駆動連結された状態で収容されている。
ケースカバー１１も、ケース１０と同様に前記底部１０ａと平行な板状をなす上底部１１ａと、該上底部１１ａの外周端部から直交して延びる側壁１１ｂとから形成されている
【００２０】
　このようなケース本体に対しブラシレスモータ１２を支持するためのセンターピース２１は、その基端部に鍔状をなす固定部２２が形成されるとともに、その固定部２２はケース１０の底部１０ａに形成された保持部１０ｄに保持されている。また、固定部２２はケース１０の保持部１０ｄとケースカバー１１に形成された保持部（図示略）とにより組み付け方向に挟持されている。
【００２１】
　センターピース２１には固定部２２の中心部からブラシレスモータ１２の先端に向かって延びる略円筒状のボス部２３が形成されている。ボス部２３はブラシレスモータ１２の先端側に向かって開口するとともに、その内部には回転軸２４の基端部近くを軸支するメタル軸受２５が保持されている。一方、ボス部２３の外周面には、回転磁界を発生させるためのコイル２６が巻回された電機子コア２７が固着されている。尚、電機子コア２７には、コイル２６と電気的に接続された給電用のターミナル（図示略）が設けられている。
【００２２】
　
前記回転軸２４の先端には、ウォームが形成されたウォーム軸３１が該回転軸２４と同軸となるように固定されている。
【００２３】
　回転軸２４におけるウォーム軸３１の基端側には、ブラシレスモータ１２の基端側に開口する有底円筒状をなすヨーク３３の底部中心が固定されている。ヨーク３３の側壁は、前記電機子コア２７を覆うように軸線Ｌ方向に沿って延び、該側壁の内周面にはＮ極、Ｓ極が周方向に交互に着磁されたマグネット３４が電機子コア２７と対向するように固定されている。
これらマグネット３４、ヨーク３３及び回転軸２４は、前記コイル２６にて発生した回転磁界がマグネット３４に作用することで一体回転する。
【００２４】
　
前記減速機構１３は、ウォーム軸３１と、ケース１０の底部１０ａからその板面と直交して延びる支軸１０ｅにそれぞれ回転可能に支持されたウォームホイール４１、中間ギヤ４２と、ケース１０及びケースカバー１１に回転可能に支持された出力ギヤ４３とからなる。出力ギヤ４３はその中央部に設けられた前記出力軸８ａが、ケース１０の底部１０ａ及びケースカバー１１の上底部１１ａにそれぞれ貫通形成された円形の開口部４４（図２参照）に回転可能に支持される
このような減速機構１３によりブラシレスモータ１２の回転は減速されて出力軸８ａに伝達される。
ｃ　「【００３０】
　［ケースの組み付け構造］
　次に、上記したような内部部品が収容されたケース１０及びケースカバー１１の組み付け構造について説明する。図３に示すように、ケース１０の中央付近において、その底部１０ａにはケース内部に向かって突出する第１連結部としてのケース側連結部７１が一体形成されている。
このケース側連結部７１は、回転軸２４の軸線Ｌと、その軸線Ｌに対して平行であって出力軸８ａの中心線ＣＬを通る直線Ｘとの間の領域Ａに形成されている。即ち、ケース側連結部７１は、ケース１０内において主な内部構成部品であるモータ１２と出力軸８ａ（出力ギヤ４３）間に設けられ、その設置位置はケース１０の中央付近となっている。
一方、ケースカバー１１におけるケース側連結部７１と対応する位置には、同じくケース内部に向かって突出する第２連結部としてのカバー側連結部７２が上底部１１ａに一体形成されている（図２参照）
【００３１】
　ケース側連結部７１には、図４に示すように、底部１０ａから組み付け方向（底部１０ａと直交する方向）に延びるケース側筒部７１ａが形成されるとともに、該筒部７１ａの先端内側には段差部７１ｂが形成されている。尚、この段差部７１ｂは筒部７１ａの先端部全体に亘って連続的に形成されている。また、ケース側連結部７１には、その筒部７１ａの内側で底部１０ａから組み付け方向に延びる弾性突起７１ｃが形成されるとともに、該弾性突起７１ｃの先端には前記段差部７１ｂよりもケースカバー１１側に形成された係合部７１ｄが設けられている。尚、ケース側連結部７１の基端部において底部１０ａには開口部７１ｅが形成され、その開口部７１ｅにより筒部７１ａの中空部はケース外部と繋がっている。
【００３２】
　一方、カバー側連結部７２には、上底部１１ａから組み付け方向に延びるカバー側筒部７２ａが前記ケース側筒部７１ａと対応する位置に形成されている。カバー側筒部７２ａはその中空部がケース外部と繋がるように形成されている。詳しくは、カバー側筒部７２ａは上底部１１ａが内側に凹設されてなり、その凹部は各連結部７１，７２の連結部分をケース外部から目視可能な窓部７３となっている。また、カバー側筒部７２ａはその板厚がケース側筒部７１ａの板厚より若干厚めに形成されるとともに、その先端外側には段差部７２ｂが形成されている。この段差部７２ｂはケース側筒部７１ａの段差部７１ｂと同様、カバー側筒部７２ａの先端部全体に亘って連続的に形成されている。また、カバー側筒部７２ａの先端部には、該筒部７２ａの内側に向かって突出する突出部７２ｃが形成されている。」
ｄ　上記ｂ及び図３の記載から、ブラシレスモータ１２は回転軸２４を有することが理解できる。
ｅ　上記ｂ及び図３の記載から、ウォームホイール４１はウォームに接続されること、中間ギヤ４２は、当該ウォームホイール４１と出力ギヤ４３に接続され、かつ、ウォームホイール４１と出力ギヤ４３の間に配置されることが理解できる。
ｆ　図３の記載から、ブラシレスモータ１２の径方向において、出力ギヤ４３はブラシレスモータ１２に対向していることが看取できる。
ｇ　図３の記載から、ケース側連結部７１及びカバー側連結部７２は、筐体内において、ブラシレスモータ１２及び減速機構１３が存在しない箇所に設けられていることが看取できるから、ブラシレスモータ１２及び減速機構１３に干渉しない空間に設けられていることが理解できる。
　
（イ）上記（ア）から、引用文献１には、次の発明（以下「引用発明」という。）が記載されていると認められる。
「回転軸２４を有するブラシレスモータ１２と、
　前記ブラシレスモータ１２の回転を伝達する減速機構１３と、前記ブラシレスモータ１２及び前記減速機構１３を収容するケース本体と、を含み、
　前記減速機構１３は、前記回転軸２４と同軸となるように固定されているウォーム軸３１に形成されたウォームと、前記ウォームに接続されるウォームホイール４１と、出力ギヤ４３と、当該ウォームホイール４１と当該出力ギヤ４３に接続される中間ギヤ４２と、を備え、
　前記中間ギヤ４２は、前記ウォームホイール４１と前記出力ギヤ４３の間に配置され、
　前記ブラシレスモータ１２の径方向において、前記出力ギヤ４３は前記ブラシレスモータ１２に対向しており、
前記ケース本体は、
　底部１０ａと前記底部１０ａの外周端部から直交方向に延びる側壁１０ｂとから形成されるケース１０と、
　上底部１１ａと前記上底部１１ａの外周端部から直交方向に延びる側壁１１ｂとを有するケースカバー１１を備え、
前記底部１０ａと前記上底部１１ａが、前記回転軸２４の軸線Ｌとその軸線Ｌに対して平行であって出力軸８ａの中心線ＣＬを通る直線Ｘとの間の領域Ａに形成されているケース側連結部７１及び前記ケース側連結部７１と対応する位置に形成されているカバー側連結部７２で連結されており、
　前記ケース側連結部７１及び前記カバー側連結部７２は、前記ケース本体内において前記ブラシレスモータ１２及び前記減速機構１３に干渉しない空間に設けられている、モータアクチュエータ。」
　
（３）引用発明との対比
ア　本件補正発明と引用発明とを対比する。
（ア）引用発明の「ブラシレスモータ１２」は、その機能、構成及び技術的意義からみて、本件補正発明の「モータ」に相当し、以下同様に、「減速機構１３」は「複数のギア」に、「ケース本体」は「筐体」に、「回転軸２４と同軸となるように固定されているウォーム軸３１に形成されたウォーム」は「回転軸に取り付けられたウォームギア」に、「ウォーム」は「ウォームギア」に、「ウォームホイール４１」は「第１ギア」に、「出力ギヤ４３」は「出力ギア」に、「中間ギヤ４２」は「第２ギア」に、「底部１０ａ」は「第１面部」に、「底部１０ａの外周端部から直交方向に延びる側壁１０ｂ」は「第１面部を取り囲む第１外壁部」に、「ケース１０」は「第１筐体」に、「上底部１１ａ」は「第２面部」に、「上底部１１ａの外周端部から直交方向に延びる側壁１１ｂ」は「第２面部を取り囲む第２外壁部」に、「ケースカバー１１」は「第２筐体」に、「ケース側連結部７１及びカバー側連結部７２」は「連結部」に、「モータアクチュエータ」は「モータ付きギアボックス」にそれぞれ相当する。
（イ）引用発明の「前記底部１０ａと前記上底部１１ａが、前記回転軸２４の軸線Ｌとその軸線Ｌに対して平行であって出力軸８ａの中心線ＣＬを通る直線Ｘとの間の領域Ａに形成されているケース側連結部７１及び前記ケース側連結部７１と対応する位置に形成されているカバー側連結部７２で連結されて」いることと、本件補正発明の「前記第１面部と前記第２面部が、前記ウォームギア側のモータの端部及び前記複数のギアに囲われた領域内に設けられた１つの連結部で連結されて」いることとは、「前記第１面部と前記第２面部が、１つの連結部で連結されていること」という限りにおいて一致している。
イ　以上のことから、本件補正発明と引用発明との一致点及び相違点は、次のとおりである。
　＜一致点＞
「回転軸を有するモータと、
　前記モータの回転を伝達する複数のギアと、前記モータ及び前記複数のギアを収容する筐体と、を含み、
　前記複数のギアは、前記回転軸に取り付けられたウォームギアと、前記ウォームギアに接続される第１ギアと、出力ギアと、当該第１ギアと当該出力ギアに接続される第２ギアと、を備え、
　前記第２ギアは、前記第１ギアと前記出力ギアの間に配置され、
　前記モータの径方向において、前記出力ギアは前記モータに対向しており、
前記筐体は、
　第１面部と前記第１面部を囲む第１外壁部とを有する第１筐体と、
　第２面部と前記第２面部を囲む第２外壁部とを有する第２筐体と、を備え、
前記第１面部と前記第２面部が、１つの連結部で連結されており、
　前記連結部は、前記筐体内において前記モータ及び前記複数のギアに干渉しない空間に設けられている、モータ付ギアボックス。」
　
　＜相違点１＞
　本件補正発明における第１面部及び第２面部は「振動可能」であるのに対し、
　引用発明における底部１０ａ及び上底部１１ａは振動可能であるか否か不明である点。
　＜相違点２＞
　本件補正発明における連結部は、「前記ウォームギア側のモータの端部及び前記複数のギアに囲われた領域内に設けられ」ているのに対し、
　引用発明におけるケース側連結部７１は、前記回転軸２４の軸線Ｌとその軸線Ｌに対して平行であって出力軸８ａの中心線ＣＬを通る直線Ｘとの間の領域Ａに形成されており、カバー側連結部７２は、前記ケースカバー１１における前記ケース側連結部７１と対応する位置に形成されている点。
　
（４）判断
　以下、相違点について検討する。
ア　相違点１について
　本件補正発明の「振動可能な第１面部」及び「振動可能な第２面部」とは、どのようなことか請求項の記載上必ずしも判然としないが、発明の詳細な説明の段落【００４３】の「モータ付ギアボックス１０の振動音の原因について検討した結果、第１面部２１や第２面部３１の中央側が、このようにフリーの状態であると、第１面部２１や第２面部３１が振動でき、それが振動音の発生原因の一つであることがわかった。」との記載によれば、本件補正発明は、第１面部や第２面部の中央側がフリーの状態である場合に振動が生じるものを前提としていると解される。
　一方、引用文献１の段落【０００３】には、「上記のようなモータアクチュエータでは、ケースの側壁部分のみで第１及び第２ケースが連結固定されているため、第１及び第２ケースの中央部が互いに接近する方向、若しくは離間する方向に容易に撓んでしまう。」との記載があり、引用文献１に記載されたモータアクチュエータにおいて、ケースの側壁部分のみで第１及び第２ケースが連結固定、すなわち第１及び第２ケースの中央部がフリーの状態である場合に、それらが容易に撓むことが想定されていることから、引用発明の底部１０ａ（第１ケース）及び上底部１１ａ（第２ケース）も容易に撓むような材料からなり、両者の中央側がフリーの状態であれば振動可能なものであると解するのが自然である。
　そうすると、相違点１は実質的な相違点ではない。
　
イ　相違点２について
　引用文献１の段落【０００３】には、解決しようとする課題として「しかしながら、上記のようなモータアクチュエータでは、ケースの側壁部分のみで第１及び第２ケースが連結固定されているため、第１及び第２ケースの中央部が互いに接近する方向、若しくは離間する方向に容易に撓んでしまう。そして、その撓みによって第１ケースと第２ケースとの位置ズレが生じ、駆動時においてモータや出力軸等から発生する振動による騒音レベルが増大してしまう虞があった。特に、ケースは樹脂よりなるため、その成形時に発生する反りによってケース中央部が顕著に撓み易くなってしまう虞がある。」との記載があり、かかる課題を解決するために、底部１０ａと上底部１１ａが、回転軸２４の軸線Ｌとその軸線Ｌに対して平行であって出力軸８ａの中心線ＣＬを通る直線Ｘとの間の領域Ａ（引用文献１の図３を参照）に形成されているケース側連結部７１及びそのケース側連結部７１と対応する位置に形成されているカバー側連結部７２で連結されている構成を採用したものである。
　そして、引用発明において、ケース１０内の限られた空間に、ブラシレスモータ１２、減速機構１３及びケース側連結部７１等をどのように配置するかは、当業者がブラシレスモータ１２及び各ギヤの大きさやこれらの接続関係を考慮して適宜設定すべき事項であるところ、カバー側連結部７２が回転軸２４の軸線Ｌとその軸線Ｌに対して平行であって出力軸８ａの中心線ＣＬを通る直線Ｘとの間の領域Ａ内のいずれの場所にあっても上記課題は解決でき、かかる領域Ａ内であって、ウォーム側のブラシレスモータ１２の端部及び減速機構１３に囲われた領域内に、ブラシレスモータ１２や各ギヤが設けられていない空間、すなわち、ブラシレスモータ１２及び減速機構１３に干渉しない空間が生じることも当然あり得ることであり、そのような空間にケース側連結部７１を設けることも当業者が適宜なし得ることにすぎない。
　なお、第１面部と第２面部が、ウォームギア側のモータの端部及び複数のギアに囲われた領域内に設けられた１つの連結部で連結されているモータのハウジングは、例えば、特開２０１４−７８９１号公報（図１等の締結部１０１参照）や特開２００３−２０２０６９号公報（図１ないし５等参照）に記載されるように周知でもある。
　ここで、請求人は、審判請求書において、「よって、引用文献１には、本願発明の「振動可能な第１面部」及び「振動可能な第２面部」を開示していないから、これに起因する課題をそもそも有していません。」（６ページ５ないし７行）と主張している。 
　確かに、引用文献１には、その段落【０００３】に「上記のようなモータアクチュエータでは、ケースの側壁部分のみで第１及び第２ケースが連結固定されているため、第１及び第２ケースの中央部が互いに接近する方向、若しくは離間する方向に容易に撓んでしまう。そして、その撓みによって第１ケースと第２ケースとの位置ズレが生じ、駆動時においてモータや出力軸等から発生する振動による騒音レベルが増大してしまう虞があった。」との記載があるものの、ケースの振動による騒音に関して明示的な記載は見あたらない。
　しかしながら、引用文献１には、第１及び第２ケースの中央部の撓みについて言及があるから、上記アで検討したとおり、底部１０ａ及び上底部１１ａは振動可能なものであり、「引用文献１には、本願発明の「振動可能な第１面部」及び「振動可能な第２面部」を開示していない」という請求人の主張は採用できない。
　また、引用発明の底部１０ａ及び上底部１１ａが撓みが生じて振動可能なものであれば、底部１０ａ及び上底部１１ａ自体が振動し、騒音が生じることも、当業者であれば想定し得る事項であるところ、例えば、上記周知技術として例示した特開２０１４−７８９１号公報の段落【００６２】には「そのため、締結部形成範囲Ａ１内に締結部１０１を設けるとハウジング１０の撓み抑制により効果的である。そして、ハウジング１０の撓みが抑制されると、複数のモータ２２，３２を収容したハウジング１０であっても、モータ２２，３２の振動によって同ハウジング１０が振動することが抑制される。従って、ハウジング１０の撓みに起因した騒音を抑制することができる。」と記載されており、ハウジング１０の撓みと振動及び騒音の因果関係が示唆されている。
　そうすると、引用発明において、底部１０ａ及び上底部１１ａの振動による騒音についても実質的に考慮されていると考えるのが自然であるから、「これ（「振動可能な第１面部」及び「振動可能な第２面部」）に起因する課題をそもそも有していません」とする請求人の上記主張も採用できない。
　
ウ　そして、本件補正発明の奏する作用効果は、引用発明の奏する作用効果から予測される範囲内のものにすぎず、格別顕著なものということはできない。
　
エ　したがって、本件補正発明は、引用発明に基づいて、当業者が容易に発明をすることができたものであり、特許法第２９条第２項の規定により、特許出願の際独立して特許を受けることができないものである。
　なお、請求人は、平成３１年２月４日提出の上申書において、平成３０年１１月２１日作成の前置報告書の新規事項の指摘に対応して、請求項１の「前記出力ギアは前記モータに対向しており、」の記載を「前記出力ギアは前記モータ
の本体部
の本体部
　しかしながら、かかる補正がされて、本件補正発明の上記＜相違点２＞に係る発明特定事項のうち「前記ウォームギア側のモータの端部」が「前記ウォームギア側のモータ
の本体部
　また、請求人は、同上申書において、「本願発明の課題は、段落００４５の「筐体１２内には、モータ４０や複数のギア５０が密に配置されているもの」における課題であるが、この課題は、引用文献１及び引用文献２のいずれにも開示も示唆もされていません。」と主張している。
　しかしながら、本願の発明の詳細な説明には、段落【００４５】に「筐体１２内には、モータ４０や複数のギア５０が密に配置されているもの」の記載はあるものの、本件補正発明の課題が、「筐体１２内には、モータ４０や複数のギア５０が密に配置されているもの」における課題であることの記載はなく、また、本願の請求項の記載から、本件補正発明が、「筐体１２内には、モータ４０や複数のギア５０が密に配置されているもの」を前提としていることは読み取ることはできない。仮に、本件補正発明の課題が請求人のいうとおり「筐体１２内には、モータ４０や複数のギア５０が密に配置されているもの」を前提としているとしても、引用文献１の図３を参照すると、ケース１０内にブラシレスモータ１２や減速機構１３が密に配置されていることが看取できるし、一般に機械装置において小型化は共通の課題であって、引用発明のようなモータアクチュエータにおいても、小型化のためにケース１０内にブラシレスモータ１２や減速機構１３等を密に配置することは当然考慮されていることというべきである。
　したがって、上申書における請求人の上記主張は採用できない。
　
３　本件補正についてのむすび
　よって、本件補正は、特許法第１７条の２第６項において準用する同法第１２６条第７項の規定に違反するので、同法第１５９条第１項の規定において読み替えて準用する同法第５３条第１項の規定により却下すべきものである。
　よって、上記補正の却下の決定の結論のとおり決定する。
　
第３　本願発明について
１　本願発明
　平成３０年１０月１２日にされた手続補正は、上記のとおり却下されたので、本願の請求項１ないし１２に係る発明は、平成３０年４月４日にされた手続補正により補正された特許請求の範囲の請求項１ないし１２に記載された事項により特定されるものであるところ、その請求項１に係る発明（以下「本願発明」という。）は、その請求項１に記載された事項により特定される、前記第２［理由］１（２）に記載のとおりのものである。
２　原査定の拒絶の理由
　原査定の拒絶の理由は、以下のとおりである。
１．（新規性）この出願の下記の請求項１に係る発明は、その出願前に日本国内又は外国において、頒布された下記１の刊行物に記載された発明であるから、特許法第２９条第１項第３号に該当し、特許を受けることができない。
２．（進歩性）この出願の下記の請求項１ないし１２に係る発明は、その出願前に日本国内又は外国において、頒布された下記１ないし５の刊行物に記載された発明に基いて、その出願前にその発明の属する技術の分野における通常の知識を有する者が容易に発明をすることができたものであるから、特許法第２９条第２項の規定により特許を受けることができない。
１.特開２００９−１０６１００号公報
２.特開２０１０−５７２９３号公報
３.特開２００３−２７８８４６号公報
４.特開２０００−３０８３０３号公報
５.特開平０７−１１３７０６号公報
３　引用文献
　原査定の拒絶の理由で引用された引用文献１及びその記載事項は、前記第２の［理由］２（２）に記載したとおりである。
　
４　対比・判断
　本願発明は、前記第２の［理由］２で検討した本件補正発明から、「モータ」、「複数のギア」、「第１面部」、「第２面部」及び「連結部」に係る限定事項を削除したものである。
　そうすると、本願発明の発明特定事項を全て含み、さらに他の事項を付加したものに相当する本件補正発明が、前記第２の［理由］２（３）、（４）に記載したとおり、引用発明に基づいて、当業者が容易に発明をすることができたものであるから、本願発明も、引用発明に基づいて当業者が容易に発明をすることができたものである。
　
第４　むすび
　以上のとおり、本願発明は、特許法第２９条第２項の規定により特許を受けることができないから、他の請求項に係る発明について検討するまでもなく、本願は拒絶されるべきものである。
よって、結論のとおり審決する。